(57)【要約】【課題】圧迫感を低減させて寝心地を良好にすることができる芯材を提供する。【解決手段】一形態に係る芯材は、使用者Ｍの後頭部Ｍ１が当てられる枕のカバーに収容され、長手方向Ａ１、及び長手方向Ａ１に交差する幅方向Ａ２に延在する布製の芯材１である。芯材１は、後頭部Ｍ１が当てられる中央部２と、中央部２の長手方向Ａ１の両側に位置する両側部３と、を備える。両側部３の幅方向Ａ２の中央部分である第４部分３ａは、両側部３の幅方向Ａ２の両端部分である第５部分３ｂ及び第６部分３ｃと比較して凹んでいる。【選択図】図４
2018000358.tif 000002
【特許請求の範囲】
【請求項１】
使用者の後頭部が当てられる枕のカバーに収容され、第１方向、及び前記第１方向に交差する第２方向に延在する布製の芯材であって、
前記後頭部が当てられる中央部と、
前記中央部の前記第１方向の両側に位置する両側部と、
を備え、
前記両側部の前記第２方向の中央部分は、前記両側部の前記第２方向の両端部分と比較して凹んでいる、
芯材。
【請求項２】
前記中央部分の内部空間と、前記両端部分の内部空間とは仕切られており、
前記中央部分の内部空間、及び前記両端部分の内部空間には内容物が収容され、
前記中央部分の内部空間に収容される前記内容物の量は、前記両端部分の内部空間に収容される前記内容物の量よりも少ない、
請求項１に記載の芯材。
【請求項３】
前記中央部分の内部空間、及び前記両端部分の内部空間、を仕切る第１マチ部と、
前記両端部分の内部空間の一部を仕切る第２マチ部と、
を備え、
前記第１マチ部は、前記第１方向の端部から前記中央部に向かうに従って、前記第１方向に延びる端辺から離れる方向に傾斜しており、
前記第２マチ部は、前記第１マチ部に沿って延びている、
請求項１又は２に記載の芯材。
【請求項４】
前記中央部の前記第２方向の中央部分は、他の部分と比較して伸縮性が高い布地によって構成されている、
請求項１〜３のいずれか一項に記載の芯材。
【発明の詳細な説明】
【技術分野】
【０００１】
本発明は、カバーに収容される芯材に関する。
【背景技術】
【０００２】
カバーに収容される芯材としては、従来から種々のものが知られている。特開２０１５−１５０３７３号公報には、下層芯材及び上層芯材から成る枕の芯材が記載されている。この芯材はカバーに被覆されて使用される。下層芯材は、最下層に位置しており、下層芯材の直上に上層芯材が配置されている。上層芯材の上側には、後頭載置部と、頸椎載置部と、側頭載置部とが設けられており、後頭載置部に対して、側頭載置部及び頸椎載置部が盛り上がった形状を成している。
【先行技術文献】
【特許文献】
【０００３】
【特許文献１】特開２０１５−１５０３７３号公報
【発明の概要】
【発明が解決しようとする課題】
【０００４】
前述した芯材では、側頭載置部が後頭載置部よりも高く盛り上がっている。従って、この芯材を収容した枕を使用者が使用して、使用者が横寝をするときには、使用者の頬が側頭載置部に押さえつけられる。よって、頬が側頭載置部に圧迫されることになるので、使用者の呼吸が妨げられて寝心地が損なわれる懸念がある。
【０００５】
本発明は、圧迫感を低減させて寝心地を良好にすることができる芯材を提供することを目的とする。
【課題を解決するための手段】
【０００６】
本発明の一側面に係る芯材は、使用者の後頭部が当てられる枕のカバーに収容され、第１方向、及び第１方向に交差する第２方向に延在する布製の芯材であって、後頭部が当てられる中央部と、中央部の第１方向の両側に位置する両側部と、を備え、両側部の第２方向の中央部分は、両側部の第２方向の両端部分と比較して凹んでいる。
【０００７】
この芯材では、使用者の後頭部の両側に位置する両側部において、第２方向の中央部分は、第２方向の両端部分よりも凹んでいる。従って、使用者が横寝をすると使用者の頬が第２方向の中央部分に入り込むので、凹んだ第２方向の中央部分に頬が入り込むことによって頬への圧迫感を低減させることができる。また、使用者が横寝をしたときに、使用者の首部は第２方向の両端部分に接触する。従って、使用者の首部は、中央部分よりも盛り上がった両端部分に接触するので、首部を当該両端部分に埋め込ませることができる。従って、使用者の首部を保護することができるので、寝心地を良好にすることができる。
【０００８】
また、中央部分の内部空間と、両端部分の内部空間とは仕切られており、中央部分の内部空間、及び両端部分の内部空間には内容物が収容され、中央部分の内部空間に収容される内容物の量は、両端部分の内部空間に収容される内容物の量よりも少なくてもよい。この場合、頬が接触する中央部分の内部空間に収容される内容物の量が少ないので、中央部分を凹ますことができ、頬をより確実に中央部分に入り込ませることができる。また、頬は、当該中央部分を構成する布に接触するので、頬へのフィット感を維持することができる。
【０００９】
また、中央部分の内部空間、及び両端部分の内部空間、を仕切る第１マチ部と、両端部分の内部空間の一部を仕切る第２マチ部と、を備え、第１マチ部は、第１方向の端部から中央部に向かうに従って、第１方向に延びる端辺から離れる方向に傾斜しており、第２マチ部は、第１マチ部に沿って延びていてもよい。この場合、中央部分の内部空間と両端部分の内部空間とを仕切る第１マチ部が、第１方向の端部から中央部に向かうに従って第１方向に延びる端辺から離れる方向に傾斜しており、第２マチ部は第１マチ部に沿って設けられる。従って、両端部分の内部空間に収容された内容物が第２マチ部を超えにくくなっているので、第１マチ部と第２マチ部の間に位置する内容物の量を多くなりすぎないようにすることができる。よって、第１マチ部及び第２マチ部の間の部分の内容物の量を減らすことができる。このように、第１マチ部と第２マチ部の間に内容物の量が少ない領域を設けることにより、使用者の頬から首部に向かって滑らかに芯材を接触させることができる。よって、圧迫感を低減させることができると共に一層良好な寝心地を使用者に与えることができる。
【００１０】
また、中央部の第２方向の中央部分は、他の部分と比較して伸縮性が高い布地によって構成されていてもよい。ところで、仮に、当該中央部分が他の部分と同一の伸縮性を有する場合、使用者が後頭部を中央部分に乗せたときに、中央部分の凹みに応じて他の部分が引っ張られることにより、他の部分において十分な膨らみを維持できなくなることがある。これに対し、前述したように、当該中央部分が他の部分よりも伸縮性が高い布地で構成されている場合、中央部分が凹んでも他の部分を引っ張られにくくすることができる。従って、当該他の部分において十分な膨らみを維持することができるので、圧迫感を更に低減させると共に一層良好な寝心地を使用者に与えることができる。
【発明の効果】
【００１１】
本発明によれば、圧迫感を低減させることができると共に、寝心地を良好にすることができる。
【図面の簡単な説明】
【００１２】
【図１】第１実施形態に係る芯材を示す斜視図である。
【図２】図１の芯材を示す平面図である。
【図３】図１の芯材を示す底面図である。
【図４】図１の芯材と使用者との位置関係を示す図である。
【図５】（ａ）は、第２実施形態に係る芯材を示す平面図である。（ｂ）は、変形例に係る芯材を示す平面図である。
【発明を実施するための形態】
【００１３】
以下、図面を参照しながら実施形態に係る芯材について説明する。以下の説明において、同一又は相当する要素には同一の符号を付し、重複する説明を省略する。
【００１４】
（第１実施形態）
図１に示されるように、第１実施形態に係る芯材１は、略長方形状を呈しており、全体として高い柔軟性を有している。芯材１は布製である。芯材１は、例えば、他の芯材と共に枕のカバーに収容されて使用される。上記他の芯材は、例えば、枕に既に収容されている既存の芯材であり、芯材１は、既存の芯材と組み合わせて使用可能である。
【００１５】
具体的には、芯材１は、その長手方向Ａ１（第１方向）に延在する２つの端辺１ａ、及び芯材１の幅方向Ａ２（第２方向）に延在する２つの端辺１ｂのそれぞれに、例えばボタンが設けられた６つの接続部１ｃを備える。これらの接続部１ｃを介して、芯材１は、他の芯材に接続される。長手方向Ａ１及び幅方向Ａ２は、互いに交差（直交）している。
【００１６】
芯材１は、その長手方向Ａ１の中央に位置する中央部２と、中央部２の両側に位置する両側部３とを備えている。中央部２及び両側部３は、芯材１の長手方向Ａ１に沿って並設されており、中央部２は、２つの両側部３の間に位置している。
【００１７】
図２は、芯材１の表側の面を示す図である。図１及び図２に示されるように、中央部２は、使用者Ｍ（図４参照）の後頭部Ｍ１の頭頂部側が乗せられる第１部分２ａと、後頭部Ｍ１と首部Ｍ２との間の部分が乗せられる第２部分２ｂ（中央部分）と、首部Ｍ２の背中側の部分が乗せられる第３部分２ｃとを有する。第２部分２ｂは長方形状とされている。第１部分２ａ及び第３部分２ｃは台形状であり、第１部分２ａの幅方向Ａ２の長さは、第３部分２ｃの幅方向Ａ２の長さよりも長い。
【００１８】
両側部３は、芯材１の幅方向Ａ２の中央に位置する第４部分３ａ（中央部分）と、第４部分３ａの幅方向Ａ２の一方側（第１部分２ａ側）に位置する第５部分３ｂ（両側部分）と、第４部分３ａの幅方向Ａ２の他方側（第３部分２ｃ側）に位置する第６部分３ｃとを有する。第４部分３ａは、第２部分２ｂ側に頂点を有する三角形状とされている。
【００１９】
両側部３は、中央部２に対して左右対称に配置されている。すなわち、中央部２の左側に位置する両側部３、及び中央部２の右側に位置する両側部３は、対称に配置されている。従って、以下では、一方側の両側部３のみについて説明し、他方側の両側部３の説明は適宜省略する。
【００２０】
芯材１の第１部分２ａ側の端辺１ａからは、芯材１の内部空間を仕切るマチ部４が延びている。マチ部４は、第１部分２ａ及び第５部分３ｂを仕切る第１部分４ａと、第１部分２ａ及び第２部分２ｂを仕切る第２部分４ｂとを含んでいる。第１部分４ａ及び第２部分４ｂは滑らかに連続している。マチ部４の各第１部分４ａは、幅方向Ａ２に対して傾斜すると共に第２部分２ｂに向かって直線状に延びている。第２部分４ｂは、長手方向Ａ１に沿って直線状に延びている。
【００２１】
芯材１の第３部分２ｃ側の端辺１ａからは、マチ部４と同様の形状とされたマチ部５が延びている。マチ部５は、第３部分２ｃ及び第６部分３ｃを仕切る第３部分５ａと、第２部分２ｂ及び第３部分２ｃを仕切る第４部分５ｂとを含んでいる。第３部分５ａ及び第４部分５ｂそれぞれの向きは、第１部分４ａ及び第２部分４ｂそれぞれの向きと同様であるが、各第３部分５ａの長さは各第１部分４ａの長さよりも短い。
【００２２】
中央部２の第２部分２ｂと両側部３との間には、マチ部６が幅方向Ａ２に延びている。このマチ部６は、第２部分２ｂ及び第５部分３ｂを仕切ると共に、第２部分２ｂ及び第６部分３ｃを仕切っている。また、第２部分２ｂには、第２部分２ｂの内部空間の一部を仕切るマチ部１１が長手方向Ａ１に沿って延びている。
【００２３】
第４部分３ａと第５部分３ｂとの間には、マチ部７（第１マチ部）が直線状に延びている。マチ部７は、長手方向Ａ１の端部（端辺１ｂ）から中央部２に向かうに従って、長手方向Ａ１に延びる端辺１ａから離れる方向に傾斜している。マチ部７の一端は、端辺１ｂにおいて第１部分２ａ側に位置しており、マチ部７の他端はマチ部６の中点付近（芯材１の幅方向Ａ２の中央付近）に位置している。
【００２４】
第４部分３ａと第６部分３ｃとの間には、マチ部８（第１マチ部）が直線状に延びている。マチ部８は、マチ部７と同様、長手方向Ａ１の端部（端辺１ｂ）から中央部２に向かうに従って、長手方向Ａ１に延びる端辺１ａから離れる方向に傾斜している。マチ部８の一端は端辺１ｂにおいて第３部分２ｃ側に位置しており、マチ部８の他端はマチ部６の中点付近（芯材１の幅方向Ａ２の中央付近）においてマチ部７と接続している。
【００２５】
第５部分３ｂには、第５部分３ｂの内部空間の一部を仕切るマチ部１２（第２マチ部）が設けられており、マチ部１２は、マチ部７に沿って延びている。第６部分３ｃには、第６部分３ｃの内部空間の一部を仕切るマチ部１３が設けられており、マチ部１３は、マチ部８に沿って延びている。マチ部１２及びマチ部１３のそれぞれは、マチ部７及びマチ部８それぞれと略平行に延びている。
【００２６】
以上のように、マチ部４〜８によって、芯材１の内部空間は９分割されている。また、マチ部１１〜１３のそれぞれによって、第２部分２ｂ、第５部分３ｂ及び第６部分３ｃのそれぞれの一部分が仕切られている。マチ部４〜８及びマチ部１１〜１３は、例えば立体マチである。
【００２７】
図３は、芯材１の裏側の面を示す図である。図３に示されるように、中央部２の第１部分２ａと、中央部２の第２部分２ｂ及び第３部分２ｃの境目部分と、両側部３の第５部分３ｂと、両側部３の第６部分３ｃと、のそれぞれには、長手方向Ａ１に延びるファスナー２１〜２４が設けられている。
【００２８】
ファスナー２１〜２４は、第１部分２ａ、第２部分２ｂ、第３部分２ｃ、第５部分３ｂ及び第６部分３ｃのそれぞれに柔軟性素材からなる内容物１０を収容するために設けられている。内容物１０としては、種々のものを用いることが可能であるが、例えば綿、羽毛又はパイプが用いられる。
【００２９】
ファスナー２１は、第１部分２ａの内容物１０の量を調整するために設けられており、ファスナー２１を開けることによって内容物１０の収容及び内容物１０の取り出しを行うことが可能である。ファスナー２２は、第２部分２ｂの内容物１０の量と、第３部分２ｃの内容物１０の量と、を調整するために設けられる。ファスナー２３は第５部分３ｂの内容物１０の量、ファスナー２４は第６部分３ｃの内容物１０の量、をそれぞれ調整するために設けられる。
【００３０】
また、芯材１の端辺１ｂに沿ったファスナー２５が左右一対に設けられており、このファスナー２５は、第４部分３ａに内容物１０を収容するために設けられる。このように第４部分３ａにも内容物１０は収容されるが、第４部分３ａに収容される内容物１０は、例えば、羽毛又はポリエステルわたであり、比較的軽量で圧迫感がないものが用いられる。なお、ファスナー２１〜２５の位置、形状、大きさ及び数については適宜変更可能である。
【００３１】
図１に示されるように、芯材１において、内容物１０の量（密度）は、第５部分３ｂ及び第６部分３ｃが最も多く、第１部分２ａ及び第３部分２ｃが次に多く、第２部分２ｂが３番目に多く、第４部分３ａが最も少ない。第４部分３ａに収容される内容物１０の体積は、第４部分３ａ以外の部分に収容される内容物１０の体積よりも少ない。このように内容物１０の量を調整することにより、第５部分３ｂ及び第６部分３ｃが最も大きく膨らみ、第１部分２ａ及び第３部分２ｃが次に大きく膨らみ、第２部分２ｂが３番目に大きく膨らみ、第４部分３ａの膨らみが最も小さい。従って、第４部分３ａは、他の部分と比較して相対的に凹むことになる。
【００３２】
以上のように構成される芯材１から得られる効果について説明する。
【００３３】
芯材１では、使用者Ｍの後頭部Ｍ１の両側に位置する両側部３において、幅方向Ａ２の中央部分に位置する第４部分３ａは、幅方向Ａ２の両端部分である第５部分３ｂ及び第６部分３ｃよりも凹んでいる。従って、図４に示されるように、使用者Ｍが横寝をすると使用者Ｍの頬が第４部分３ａに入り込むので、凹んだ第４部分３ａに頬が入り込むことによって頬への圧迫感を低減させることができる。
【００３４】
更に、図４の網点部Ｐに位置する使用者Ｍのこめかみ、下顎骨、及び下顎骨の付け根を第５部分３ｂ及び第６部分３ｃで支持すると共に、第４部分３ａに頬が位置するので、頬への圧迫が確実に回避される。また、使用者Ｍは、頬への圧迫が回避されるため、呼吸を楽にすることができ、更に、下顎骨とその付け根が押さえられることで下顎骨を安定させることができるので、口が開きにくくなり、鼻呼吸しやすくなるという効果も得られる。
【００３５】
また、使用者Ｍのこめかみが芯材１の第５部分３ｂに当接すると共に、使用者Ｍの首部Ｍ２が第６部分３ｃに当接する。すなわち、使用者Ｍが横寝をしたときに、使用者Ｍの首部Ｍ２は、幅方向Ａ２の両端部分である第６部分３ｃに接触する。従って、使用者Ｍの首部Ｍ２は、第４部分３ａよりも盛り上がった第６部分３ｃに接触するので、首部Ｍ２を第６部分３ｃに埋め込ませることができる。従って、使用者Ｍの首部Ｍ２を保護することができ、使用者Ｍに自然な寝返りをさせることができるので、寝心地を良好にすることができる。
【００３６】
また、第４部分３ａの内部空間と、第５部分３ｂ及び第６部分３ｃの内部空間とは仕切られており、第４部分３ａ、第５部分３ｂ及び第６部分３ｃの内部空間には内容物１０が収容され、第４部分３ａの内部空間に収容される内容物１０の量は、第５部分３ｂ及び第６部分３ｃの内部空間に収容される内容物１０の量よりも少ない。よって、頬が接触する第４部分３ａの内部空間に収容される内容物１０の量が少ないので、第４部分３ａを凹ますことができ、頬をより確実に第４部分３ａに入り込ませることができる。また、頬は、第４部分３ａを構成する布に接触するので、頬へのフィット感を維持することができる。
【００３７】
また、芯材１は、第４部分３ａの内部空間及び第５部分３ｂの内部空間を仕切るマチ部７と、第５部分３ｂの内部空間の一部を仕切るマチ部１２と、を備え、マチ部７は、長手方向Ａ１の端部から中央部２に向かうに従って、長手方向Ａ１に延びる端辺１ａから離れる方向に傾斜しており、マチ部１２は、マチ部７に沿って延びている。
【００３８】
よって、第４部分３ａの内部空間と第５部分３ｂの内部空間とを仕切るマチ部７が、長手方向Ａ１の端部から中央部２に向かうに従って、長手方向Ａ１に延びる端辺１ａから離れる方向に傾斜しており、マチ部１２はマチ部７に沿って設けられる。従って、第５部分３ｂの内部空間に収容された内容物１０がマチ部１２を超えにくくなっているので、マチ部７とマチ部１２の間に位置する内容物１０の量を多くなりすぎないようにすることができる。よって、マチ部７及びマチ部１２の間の部分の内容物１０の量を減らすことができる。このようにマチ部７とマチ部１２の間に内容物１０が少ない領域を設けることにより、使用者Ｍに滑らかに芯材１を接触させることができる。よって、圧迫感を低減させることができると共に一層良好な寝心地を使用者Ｍに与えることができる。また、マチ部８とマチ部１３からも同様の効果が得られる。
【００３９】
また、芯材１では、中央部２の第１部分２ａの幅と、中央部２の第３部分２ｃの幅とは互いに異なっている。すなわち、第１部分２ａの幅方向Ａ２の長さは、第３部分２ｃの幅方向Ａ２の長さよりも長い。従って、使用者Ｍの後頭部Ｍ１の大きさ及び形状、並びに使用者Ｍの好み等に応じて、第１部分２ａ及び第３部分２ｃの向きを逆にして使用することができる。
【００４０】
（第２実施形態）
次に、第２実施形態に係る芯材３１について図５（ａ）を参照しながら説明する。芯材３１は、第１実施形態の芯材１と同様、中央部３２及び両側部３を備えており、両側部３は、第４部分３ａ、第５部分３ｂ及び第６部分３ｃによって構成されている。以下では、第１実施形態と重複する説明を省略する。
【００４１】
中央部３２は、中央部２と同様の第１部分２ａ及び第３部分２ｃを備えているが、幅方向Ａ２の中央に位置する第２部分３２ｂ（中央部分）の構成は第２部分２ｂと異なっている。第２部分３２ｂは、芯材３１の他の部分とは異なる布地によって構成されている。第２部分３２ｂの伸縮性は、他の部分の伸縮性よりも高い。
【００４２】
例えば、第２部分３２ｂは、パワーストレッチで構成されており、第２部分３２ｂの伸び率は４０％以上である。これに対し、他の部分の伸び率は、例えば１０％以上且つ２０％未満である。また、第２部分３２ｂは、ポリエチレンの糸が縦横に編み上げられて形成された伸縮素材であってもよいし、縦横の２方向に伸びる伸縮性の２ｗａｙユニットであってもよい。なお、第２部分３２ｂの材料は、上記に限られず適宜変更可能である。
【００４３】
以上、第２実施形態に係る芯材３１において、中央部３２の幅方向Ａ２の中央部分である第２部分３２ｂは、長方形状とされている。第２部分３２ｂは、他の部分と比較して伸縮性が高い布地によって構成されている。ところで、仮に、第２部分３２ｂが他の部分と同一の伸縮性を有する場合、使用者Ｍが後頭部Ｍ１を第２部分３２ｂに乗せたときに、第２部分３２ｂの凹みに応じて他の部分が引っ張られることにより、他の部分において十分な膨らみを維持できなくなることがある。
【００４４】
これに対し、第２実施形態では、第２部分３２ｂが他の部分よりも伸縮性が高い布地で構成されているので、第２部分３２ｂが凹んでも他の部分を引っ張られにくくすることができる。従って、当該他の部分において十分な膨らみを維持することができるので、圧迫感を更に低減させると共に一層良好な寝心地を使用者Ｍに与えることができる。
【００４５】
以上、本発明の各実施形態について説明したが、本発明は、前述した実施形態に限られるものではなく、各請求項に記載した要旨を変更しない範囲で変形し、又は他のものに適用したものであってもよい。すなわち、本発明は、特許請求の範囲に記載した要旨を変更しない範囲で種々の変形が可能である。
【００４６】
例えば、第２実施形態では、伸縮性が高い第２部分３２ｂが長方形状である例について説明したが、第２部分３２ｂの形状は長方形状に限定されない。例えば、図５（ｂ）に示される変形例の芯材４１のように、長方形状の第２部分３２ｂに代えて、十字状の伸縮性の高い第２部分４２ｂを備えていてもよい。
【００４７】
また、前述の実施形態では、内部空間が９分割されている芯材１について説明したが、内部空間の分割数は９分割でなくてもよく、８分割以下、又は１０分割以上であってもよい。更に、第１部分２ａ、第２部分２ｂ、第３部分２ｃ、第４部分３ａ、第５部分３ｂ及び第６部分３ｃの形状は適宜変更可能である。また、前述の実施形態では、第４部分３ａに内容物１０が収容されることについて説明した。しかしながら、第４部分３ａの内部空間には内容物１０が収容されなくてもよい。
【００４８】
また、前述の実施形態では、中央部２に対して一対の両側部３が互いに対称に配置される例について説明したが、両側部３は対称に配置されなくてもよい。更に、前述の実施形態では、他の芯材と共に枕のカバーに収容されて使用される芯材１について説明したが、本発明に係る芯材は、他の芯材と共に使用されないものであってもよい。すなわち、本発明に係る１つの芯材のみがカバーに収容されてもよい。
【符号の説明】
【００４９】
１，３１，４１…芯材、１ａ，１ｂ…端辺、２，３２…中央部、２ａ…第１部分、２ｂ，３２ｂ，４２ｂ…第２部分、２ｃ…第３部分、３…両側部、３ａ…第４部分、３ｂ…第５部分、３ｃ…第６部分、４，５，６…マチ部、４ａ…第１部分、４ｂ…第２部分、５ａ…第３部分、５ｂ…第４部分、７，８…マチ部（第１マチ部）、１０…内容物、１１…マチ部、１２，１３…マチ部（第２マチ部）、２１，２２，２３，２４，２５…ファスナー、Ａ１…長手方向（第１方向）、Ａ２…幅方向（第２方向）、Ｍ…使用者、Ｍ１…後頭部、Ｍ２…首部、Ｐ…網点部。
【図１】
2018000358.tif 000003
【図２】
2018000358.tif 000004
【図３】
2018000358.tif 000005
【図４】
2018000358.tif 000006
【図５】
2018000358.tif 000007